(57)【要約】【課題】優れた止水性を有するとともに、施工現場での作業性が向上し、メンテナンスの容易なユニットルームの止水構造を提供する。【解決手段】床パン３の外周に固着され壁パネル６と上記床パン３と壁パネルとの間に介装される幅木１と、該幅木１の前面に取着されるカバー部２とからなる止水構造であって、側断面略Ｓ字型とされた上記カバー部２は、その裏面上部に上記壁パネル６と幅木１との接続部分を止水するシーリング剤が逃げる上部空間２１が設けられ、その裏面下部に上記幅木１と床パン３との接続部分を止水するシーリング剤が逃げる下部空間２２が設けられたユニットルームの止水構造Ａ。【選択図】図３
2006299776.tif 000002
【特許請求の範囲】
【請求項１】
床パンの外周に固着され壁パネルと上記床パンと壁パネルとの間に介装される幅木と、該幅木の前面に取着されるカバー部とからなる止水構造であって、側断面略Ｓ字型とされた上記カバー部は、その裏面上部に上記壁パネルと幅木との接続部分を止水するシーリング剤が逃げる上部空間が設けられ、その裏面下部に上記幅木と床パンとの接続部分を止水するシーリング剤が逃げる下部空間が設けられたユニットルームの止水構造。
【請求項２】
上記カバー部の上部に後打ちシーリング剤を充填するための上部溝部が延設され、上記カバー部の下部に後打ちシーリング剤を充填するための下部溝部が延設された請求項１に記載のユニットルームの止水構造。
【請求項３】
上記シーリング剤としてシリコンシーラントを用いて上記壁パネルと幅木との接続部分および幅木と床パンとの接続部分を止水するとともに、上記カバー部の上部溝部と下部溝部とにシリコンシーラントを充填して止水する請求項１に記載のユニットルームの止水構造。
【発明の詳細な説明】
【技術分野】
【０００１】  本発明は、ユニットルームの止水構造に関する。さらに詳しくは、バスルーム等ユニットルームにおける水回りの止水構造に関する。
【背景技術】
【０００２】  バスルームの洗い場等において壁パネルと床パンとの間には幅木が設置されることが多く、上記壁パネルと幅木および幅木と床パンとの接続部分は洗い場からの水の浸入を防ぐために止水処理が施されている。通常、上記止水処理はシリコンシーラント等のシーリング剤を接続部分に充填して行われる。
【特許文献１】特開２００２−１２１９１６号公報（第１〜３頁、第１図）
【発明の開示】
【発明が解決しようとする課題】
【０００３】  しかしながら、上記シーリング剤の充填部分は水と直接接触することが多いため劣化し易く、表面にヒビ割れが発生したり、シーリングが切れて止水性が低下するという問題がある。本発明はこのような問題を解決して、優れた止水性を有するとともに、施工現場での作業性が向上し、メンテナンスの容易なユニットルームの止水構造を提供することをその課題とする。
【課題を解決するための手段】
【０００４】  上記課題を解決するために、本発明においては、つぎのような技術的手段を講じている。すなわち、本発明によれば、床パンの外周に固着され壁パネルと上記床パンと壁パネルとの間に介装される幅木と、該幅木の前面に取着されるカバー部とからなる止水構造であって、側断面略Ｓ字型とされた上記カバー部は、その裏面上部に上記壁パネルと幅木との接続部分を止水するシーリング剤が逃げる上部空間が設けられ、その裏面下部に上記幅木と床パンとの接続部分を止水するシーリング剤が逃げる下部空間が設けられたユニットルームの止水構造が提供される。【０００５】  上記カバー部の上部に後打ちシーリング剤を充填するための上部溝部が延設され、上記カバー部の下部に後打ちシーリング剤を充填するための下部溝部が延設されることが好ましい。また、上記シーリング剤としてシリコンシーラントを用いて上記壁パネルと幅木との接続部分および幅木と床パンとの接続部分を止水するとともに、上記カバー部の上部溝部と下部溝部とにシリコンシーラントを充填して止水することが好ましい。
【発明の効果】
【０００６】  請求項１に記載のユニットルームの止水構造は上記のとおりであり、壁パネルと床パンとの間に介装される幅木と、該幅木の前面に取着される側断面略Ｓ字型のカバー部とからなり、該カバー部は表面が緩やかな傾斜面を有しているため水あか等の溜まる部分がなく、掃除等のメンテナンスを容易に行うことができる。
また、カバー部の裏面上部には壁パネルと幅木との接続部分を止水するシーリング剤の逃げる上部空間が設けられ、その裏面下部には上記幅木と床パンとの接続部分を止水するシーリング剤の逃げる下部空間が設けられているため、シーリング時に壁パネルと幅木との間のシーリング剤がはみ出しても上部空間に逃げることが可能となる。同様に、上記幅木と床パンとの間のシーリング剤がはみ出しても下部空間に逃げることができ、施工後、上記の上、下の止水した部分をカバー部で覆ってはみ出したシーリング剤を目隠しできるため、作業性よく施工できる。【０００７】  上記カバー部の上部に後打ちシーリング剤を充填するための上部溝部が延設され、上記カバー部の下部に後打ちシーリング剤を充填するための下部溝部が延設されているため、上部、下部各溝部にシーリング剤を充填することにより、幅木とカバー部との間が上下でシーリングされ、さらに優れた止水性を得ることができる。【０００８】  上記シーリング剤としてシリコンシーラントを用いて上記壁パネルと幅木との接続部分および幅木と床パンとの接続部分を止水し、上記カバー部の上部溝部と下部溝部とにシリコンシーラントを充填して止水するため、シリコンシーラントの特性により、見映えよく、かつ、止水性に優れたシーリングを行うことができる。
【発明を実施するための最良の形態】
【０００９】  以下、本発明の実施形態について図面を参照して、詳細に説明する。図１は、本発明にかかるユニットルームの止水構造Ａを示す分解斜視図である。上記止水構造Ａは、床パン３の外周に固着される幅木１と幅木１の前面に取着されるカバー部２とからなり、幅木１の上面部１１にはその全長にわたって凹溝部１２が設けられ、凹溝部１２から幅木１を挿通するネジ５によって床パン３と補強裏板４とに固定される。また、幅木１の後面の上部は立ち上げられて後記するバックハンガーと係合する上向き係合片１３とされている。【００１０】  図２はバスルームの洗い場の壁パネル６と床パン３との間に介装される本発明にかかるユニットルームの止水構造Ａの構成を示す側面図である。図２からよくわかるように、ネジ５は上記凹溝部１２に穿たれた図示しないネジ孔を挿通し、幅木１を床パン３と補強裏板４とにしっかりと固着する。図２において壁パネル６の下端には枠体６１が一体的に付設され、枠体６１の上面には図示しない嵌合孔部が適当な間隔で穿たれている。一方、下向きのダボ７１を有するバックハンガー７が適当な間隔で配設され、上記ダボ７１を上記嵌合孔部に嵌合させることにより、枠体６１はバックハンガー７と結合する。さらに、バックハンガー７の後部には係合凹部７２が曲成されており、この係合凹部７２は上記幅木１の上向き係合片１３と係合し、このようにして壁パネル６はバックハンガー７を介して幅木１にしっかりと結合され、幅木１の上面部１１に載設される。【００１１】  図２において、側断面略Ｓ字型とされたカバー部２の裏面上部には壁パネル６と幅木１との接続部分を止水するシーリング剤の逃げる上部空間２１が設けられ、カバー部２の裏面下部には幅木１と床パン３との接続部分を止水するシーリング剤の逃げる下部空間２２が設けられている。さらに、上記カバー部２の上部を切欠いて後打ちシーリング剤を充填するための上部溝部２３が延設され、また下部を切欠いて下部溝部２４が延設されている。【００１２】  図３は、本発明にかかるユニットルームの止水構造Ａをバスルームの洗い場に適用し、シーリング剤として用いたシリコンシーラントを充填した状態を示す部分側断面図である。図３において、上記壁パネル６と幅木１との接続部分はシリコンシーラント８１で止水され、上記幅木１と床パン３との接続部分はシリコンシーラント８２で止水されている。図３から、シーリング時に上記シリコンシーラント８１がはみ出しても、余分のシリコンシーラント８１は上部空間２１に逃げることができ、同様に余分のシリコンシーラント８２は下部空間２２に逃げることができることが明らかである。したがって、上記の上、下の止水部分のシリコンシーラント８１、８２が多少はみ出してもカバー部２を幅木１の前面に接着等の公知の手段で取着して目隠しするため、作業性よく、かつ、見映えよく施工できる。【００１３】  さらに図３に示すように、上記カバー部２の上部溝部２３に後打ちシリコンシーラント９１を充填し、下部溝部２４に後打ちシリコンシーラント９２を充填し、このように、幅木１とカバー部２との間を上下でシーリングすることによりさらに止水性が向上したものとなる。また、幅木１の前面に取り付けられたカ��ー部２の側断面は略Ｓ字型の形状とされているため、表面が緩やかな傾斜面を有し、水あか等の溜まる部分がなく、掃除等のメンテナンスも容易に行うことができる。
【図面の簡単な説明】
【００１４】
【図１】    本発明にかかるユニットルームの止水構造を示す分解斜視図である。
【図２】    壁パネルと床パンとの間に介装された本発明のユニットルームの止水構造を示す側面図である。
【図３】    本発明にかかるユニットルームの止水構造にシリコンシーラントを充填した状態を示す部分側断面図である。
【符号の説明】
【００１５】Ａ          本発明にかかるユニットルームの止水構造
１          幅木
１１        上面部
１２        凹溝部
１３        上向き係合片
２          カバー部
２１        上部空間
２２        下部空間
２３        上部溝部
２４        下部溝部
３          床パン
４          補強裏板
５          ネジ
６          壁パネル
６１        枠体
７          バックハンガー
７１        ダボ
７２        係合凹部
８１        シリコンシーラント
８２        シリコンシーラント
９１        後打ちシリコンシーラント
９２        後打ちシリコンシーラント
【図１】
2006299776.tif 000003
【図２】
2006299776.tif 000004
【図３】
2006299776.tif 000005